(57)【要約】【課題】照明空間の美観並びに明るさ感の向上を図る。【解決手段】ルーバ枠５は導光体よりなり、この導光体は、透光性を有する合成樹脂材料（例えば、アクリル樹脂など）に光拡散ビーズが混入されて矩形枠状に成形されている。故に、光源２の発する光が床面に向けて照射されることでベース照明が行われる。一方、導光体であるルーバ枠５は、光源２の発する光を屈折し且つ拡散ビーズにより拡散させることで発光し、上方に照射される光で天井面Ｓを照明する。その結果、光源（一次光源）２から床面に向けて照射される光で作業面を必要十分な照度とし、ルーバ枠（二次光源）５から天井面Ｓに向けて照射される光で照明空間の明るさ感（明るさ感指標の値）を高めることができる。【選択図】        図１
2011171226.tif 000002
【特許請求の範囲】
【請求項１】
自ら発光する一次光源と、当該一次光源が発する光を反射や屈折あるいは拡散することで発光する二次光源と、前記一次光源を発光させる点灯手段と、前記一次光源並びに二次光源、点灯手段を保持して天井面に埋込配設される器具本体とを備え、
前記器具本体は、下面が開口した箱形に形成され、
前記二次光源は、前記器具本体の開口縁に配設された導光体からなることを特徴とする照明器具。
【請求項２】
前記一次光源から放射される光の一部を遮る複数のルーバと、当該ルーバを支持して前記器具本体の開口縁に取り付けられるルーバ枠とを備え、
当該ルーバ枠が前記導光体と一体に形成されていることを特徴とする請求項１記載の照明器具。
【請求項３】
略水平方向における前記二次光源の輝度を高める１乃至複数の高輝度発光部が前記導光体の下面側に設けられたことを特徴とする請求項１又は２記載の照明器具。
【請求項４】
前記一次光源は、前記二次光源の発光に寄与するものと当該発光に寄与しないものの２種類があり、
前記点灯手段は、前記２種類の一次光源を個別に発光させることを特徴とする請求項１〜３の何れか１項に記載の照明器具。
【発明の詳細な説明】
【技術分野】
【０００１】
本発明は、照明器具に関する。
【背景技術】
【０００２】
事務室や教室などのように多人数が作業する空間の照明には、通常、天井に設置される複数台の照明器具から床面に向けて照射される照明光が利用されている。すなわち、天井に設置された複数台の照明器具で照明空間全体の照明（ベース照明と呼ぶ。）が行われ、必要に応じて、各作業者の作業机（デスク）に置かれたスタンド型の照明器具などによって部分的な照明が行われる。
【０００３】
ところで、従来のベース照明では床面や作業面（作業机の机上面など）の照度に着目し、当該照度が規定範囲内に収まることが望ましいとされてきた。しかしながら、照明空間全体を見渡したときに当該照明空間に対して人が感じる明るさの感覚と理想的な照度値との間に隔たりがあった。
【０００４】
そこで従来、照明空間の明るさ感を評価する指標として「明るさ感指標（Ｆｅｕ）」という概念が用いられている（例えば、特許文献１参照）。ここで、「明るさ感指標」とは、照明空間を観察したときに該空間に対して感じられる「明るさ」の総合評価であり、照明認識視空間の概念における「色モード境界輝度」（参考文献１：照明認識視空間の明るさサイズの測定による実環境における空間の明るさ感の評価、照明学会誌、第８６巻第１１号、２００２、Ｐ８３０〜８３６、山口他）に基づいて規定される。なお、「色モード境界輝度」とは、照明空間に置かれた色票を観測者から見た見え方が、その照明空間内に置かれた物体（物体色）として認識される輝度のレベルと自ら発光している光源（光源色）として認識される輝度のレベルとの中間である、その照明空間に置かれた物体としては不自然な色の見え方になる輝度のレベルのことであり、照明空間の明るさ感を定量的に表すものである。
【０００５】
ここで本出願人は、従来のベース照明と比較して明るさ感を向上させることができる照明器具を既に提供している（例えば、特許文献２参照）。かかる照明器具は、直管形の蛍光ランプを光源とし、天井に設置されるペン皿形の器具本体と、器具本体の下方に配置されて前記光源から放射される光の一部を天井面に向けて反射するとともに残りの光を下方に透過する反射材とを備えている。而して、反射材に反射された光が器具本体周囲の天井面に照射されることにより、当該反射材を持たない従来の照明器具と比較して、照明空間の明るさ感が向上するのである。
【先行技術文献】
【特許文献】
【０００６】
【特許文献１】特開２００７−１７１０５５号公報
【特許文献２】特開２００９−２８９４３７号公報
【発明の概要】
【発明が解決しようとする課題】
【０００７】
しかしながら、特許文献２に記載されている照明器具は、天井面に埋込配設される器具本体の下方に反射材が吊り下げられた構造であるため、照明空間の美観が損なわれてしまう場合があった。
【０００８】
本発明は上記事情に鑑みて為されたものであり、その目的は、照明空間の美観並びに明るさ感の向上が図れる照明器具を提供することにある。
【課題を解決するための手段】
【０００９】
請求項１の発明は、上記目的を達成するために、自ら発光する一次光源と、当該一次光源が発する光を反射や屈折あるいは拡散することで発光する二次光源と、前記一次光源を発光させる点灯手段と、前記一次光源並びに二次光源、点灯手段を保持して天井面に埋込配設される器具本体とを備え、前記器具本体は、下面が開口した箱形に形成され、前記二次光源は、前記器具本体の開口縁に配設された導光体からなることを特徴とする。
【００１０】
請求項２の発明は、請求項１の発明において、前記一次光源から放射される光の一部を遮る複数のルーバと、当該ルーバを支持して前記器具本体の開口縁に取り付けられるルーバ枠とを備え、当該ルーバ枠が前記導光体と一体に形成されていることを特徴とする。
【００１１】
請求項３の発明は、請求項１又は２の発明において、略水平方向における前記二次光源の輝度を高める１乃至複数の高輝度発光部が前記導光体の下面側に設けられたことを特徴とする。
【００１２】
請求項４の発明は、請求項１〜３の何れか１項の発明において、前記一次光源は、前記二次光源の発光に寄与するものと当該発光に寄与しないものの２種類があり、前記点灯手段は、前記２種類の一次光源を個別に発光させることを特徴とする。
【発明の効果】
【００１３】
本発明によれば、照明空間の美観並びに明るさ感の向上が図れる。
【図面の簡単な説明】
【００１４】
【図１】本発明の実施形態を示し、（ａ）は天井に埋込配設された状態の断面図、（ｂ）は分解平面図である。
【図２】同上におけるルーバ枠に高輝度発光部を設けた実施形態の要部断面図である。
【発明を実施するための形態】
【００１５】
以下、図面を参照して本発明の実施形態を詳細に説明する。本実施形態の照明器具は、図１に示すように器具本体１、光源２、点灯回路部３、ルーバ４、ルーバ枠５を備えている。
【００１６】
器具本体１は、金属板を加工することで下面が開口した扁平な矩形箱形に形成されている。そして、この器具本体１は、図１（ａ）に示すように天井面Ｓに設けられた埋込孔に埋込配設される。ただし、器具本体１を天井に固定する構造については従来周知であるから図示並びに説明を省略する。
【００１７】
光源２は、図１（ｂ）に示すように白色光を発する多数（図示例では１８個）の発光ダイオード２０からなり、縦横に並べて器具本体１の内底面に配設されている。なお、光源２が自ら発光する一次光源に相当する。ただし、光源２は発光ダイオードに限定されるものでなく、有機ＥＬ素子や蛍光ランプなどであっても構わない。
【００１８】
点灯回路部３は器具本体１の天面に設置され、図示しない交流電源から供給される交流電力を直流電力に変換し、変換した直流電力を光源２に給電することで光源２、すなわち、発光ダイオード２０を発光（点灯）させる。
【００１９】
ルーバ４は、薄い板状に形成されて縦方向に並ぶ発光ダイオード２０の間と、横方向に並ぶ発光ダイオード２０の間とに配置された合計７枚が格子状に組み合わされてなり、それぞれの端部がルーバ枠５に固定されている（図１（ｂ）参照）。ルーバ枠５は導光体よりなり、この導光体は、透光性を有する合成樹脂材料（例えば、アクリル樹脂など）に光拡散ビーズが混入されて矩形枠状に成形されている。なお、ルーバ４はルーバ枠５（導光体）と異なる合成樹脂材料（透光性を有しないもの）によってルーバ枠５（導光体）と二色成形により一体に形成してもよい。あるいは、金属製のルーバ４をルーバ枠５（導光体）にインサート成形しても構わない。なお、ルーバ枠５は器具本体１下面の開口縁にねじ止めなどの適宜の方法で取り付けられる。
【００２０】
上述のように構成される照明器具を天井Ｓに埋込配設し、点灯回路部３によって光源２を発光（点灯）すれば、光源２の発する光が床面に向けて照射されることでベース照明が行われる。一方、導光体であるルーバ枠５は、光源２の発する光を屈折し且つ拡散ビーズにより拡散させることで発光し、上方に照射される光で天井面Ｓを照明する。故に、光源（一次光源）２から床面に向けて照射される光で作業面を必要十分な照度とし、ルーバ枠（二次光源）５から天井面Ｓに向けて照射される光で照明空間の明るさ感（明るさ感指標の値）を高めることができる。そして、二次光源たる導光体（ルーバ枠５）は器具本体１の開口縁に取り付けられているので、従来例のように天井面Ｓより下方に反射材が突出する場合と比較して美観の向上が図れる。しかも、導光体をルーバ枠５と一体に構成しているために部品点数の削減による省スペース化や製造コストの削減も図ることができる。
【００２１】
ところで、室内の明るさ感を高める方法として、従来、高輝度の発光部を適切な大きさと適切な個数で配置する方法が提案されている。この方法は、いわゆる「スパークル理論」に基づいており、かかるスパークル理論については、特開平８−２７９３０６号公報に詳しく説明されている。本実施形態においても、上記スパークル理論に基づく高輝度の発光部を導光体（ルーバ枠５）に設ければ、照明空間の明るさ感をさらに高めることができる。このような高輝度発光部は、例えば、図２に示すようにルーバ枠５の下面に突設した略四角錐形状の突部５０で構成することができる。すなわち、高輝度発光部（突部）５０を通してルーバ枠５の外に出射する光が水平方向に近い範囲（具体的には鉛直角６０度以上の範囲）に放射されるため、略水平方向への輝度を高めて照明空間の明るさ感の向上が図れる。なお、高輝度発光部５０はルーバ枠５の下面における適切な場所に適切な個数で配設される。
【００２２】
ところで、合計１８個の発光ダイオード２０のうち、周囲を他の発光ダイオード２０で囲まれている中央部の４個の発光ダイオード２０については、実質的に二次光源（ルーバ枠５）の発光に寄与していない。言い換えると、ルーバ枠５に沿って周辺に配置されている合計１４個の発光ダイオード２０のみが二次光源（ルーバ枠５）の発光に寄与している。そこで、中央部の４個の発光ダイオード２０と、周辺の１４個の発光ダイオード２０とを別系統の給電線に接続し、例えば、点灯回路部３から給電線を通して周辺の発光ダイオード２０に供給する電力を増減することで明るさ感を調整することができる。
【符号の説明】
【００２３】
１  器具本体
２  光源（一次光源）
３  点灯回路部
４  ルーバ
５  ルーバ枠（二次光源，導光体）
【図１】
2011171226.tif 000003
【図２】
2011171226.tif 000004